(57)【要約】【課題】より少ないリソースで効率よく人の手で番組探索ができ、限られた視聴時間を有効に使用するサービスを実現する。【解決手段】放送される複数のチャンネルを予め定められた時間ずつ順次切り替えて、各チャンネルの番組を録画するレコーダ装置１０１と、放送された番組を、放送後にオンデマンド配信するサーバとを備える。レコーダ装置１０１は、録画された各チャンネルの番組を再生し、ユーザにより選択された番組の識別情報を含む配信要求をサーバに送信する。サーバは、レコーダ装置１０１から受信される配信要求に応じて、該配信要求に含まれる番組の識別情報に対応する番組データを読み出してレコーダ装置１０１に送信する。レコーダ装置１０１は、サーバから受信した番組データを表示部に表示する。【選択図】図１
2012120078.tif 000002
【特許請求の範囲】
【請求項１】
放送される複数のチャンネルを予め定められた時間ずつ順次切り替えて、各チャンネルの番組を断片的に録画するレコーダ装置と、
放送された番組を、放送後にオンデマンド配信するサーバと
を備え、
前記レコーダ装置は、断片的に録画された各チャンネルの番組を再生し、ユーザにより選択された番組の識別情報を含む配信要求を前記サーバに送信し、
前記サーバは、前記レコーダ装置から受信される配信要求に応じて、該配信要求に含まれる番組の識別情報に対応する番組データを読み出して前記レコーダ装置に送信し、
前記レコーダ装置は、前記サーバから受信した番組データを表示部に表示するザッピング録画番組視聴システム。
【請求項２】
前記配信要求は、再生開始要求時刻をさらに含み、
前記サーバは、該配信要求に含まれる番組の識別情報に対応する番組データであって、再生開始要求時刻以降の該番組データを読み出して前記レコーダ装置に送信する請求項１に記載のザッピング録画番組視聴システム。
【請求項３】
前記レコーダ装置は、
放送される番組を受信するチューナと、
各チャンネルの番組を録画する記憶部と、
ネットワークを介して前記サーバと通信するための第１ネットワークインタフェースと、
前記チューナを切り替えて各チャンネルの番組を前記記憶部に録画し、ユーザにより選択された番組の識別情報を含む前記配信要求を前記第１ネットワークインタフェースを介して前記前記サーバに送信する第１処理部と
を有する請求項１に記載のザッピング録画番組視聴システム。
【請求項４】
前記サーバは、
前記レコーダ装置と通信するための第２ネットワークインタフェースと、
放送された番組の番組データを、番組の識別情報に対応して記憶する配信データベースと、
配信要求に応じて、前記配信データベースから番組データを読み出し、前記第２ネットワークインタフェースを介して前記レコーダ装置に送信する第２処理部と
を有する請求項１に記載のザッピング録画番組視聴システム。
【請求項５】
前記レコーダ装置からの番組データを表示する表示部をさらに備える請求項１に記載のザッピング録画番組視聴システム。
【請求項６】
前記レコーダ装置は、過去の電子番組表を記憶し、
記憶された過去の電子番組表を表示部に表示し、
電子番組表の中から選択された番組について、断片的に録画された該番組を再生する請求項１に記載のザッピング録画番組視聴システム。
【請求項７】
番組の識別情報に対応して、該番組の番組データを配信する前記配信サーバのアドレス情報又は各番組に割り当てられたアドレス情報が予め記憶されたポータルサーバ
をさらに備え、
前記ポータルサーバは、前記レコーダ装置から番組の識別情報を含むアドレス要求を受信し、該番組の識別情報に対応するアドレス情報を前記レコーダ装置に送信し、
前記レコーダ装置は、前記ポータルサーバから送信されたアドレス情報に従い前記配信要求を前記サーバに送信する請求項１に記載のザッピング録画番組視聴システム。
【請求項８】
放送される番組を受信するチューナと、
各チャンネルの番組を録画する記憶部と、
放送された番組を放送後にオンデマンド配信するサーバとネットワークを介して通信するためのネットワークインタフェースと、
前記チューナを切り替えて、放送される複数のチャンネルを予め定められた時間ずつ順次前記記憶部に断片的に録画する処理部と
を備え、
前記処理部は、
断片的に録画された各チャンネルの番組を再生し、ユーザにより選択された番組の識別情報を含む配信要求を前記サーバに送信し、
前記サーバから、該配信要求に含まれる番組の識別情報に対応する番組データを受信し、
受信した番組データを表示部に表示するレコーダ装置。
【請求項９】
放送される複数のチャンネルを予め定められた時間ずつ順次切り替えて、各チャンネルの番組を断片的に録画するレコーダ装置からの配信要求に従い、放送された番組を放送後にオンデマンド配信するための配信システムであって、
放送された番組の番組データを記憶し、放送後にオンデマンド配信するためのひとつ又は複数の配信サーバと、
番組の識別情報に対応して、該番組の番組データを配信する前記配信サーバのアドレス情報又は各番組に割り当てられたアドレス情報が予め記憶されたポータルサーバと
を備え、
前記ポータルサーバは、前記レコーダ装置から番組の識別情報を含むアドレス要求を受信し、該番組の識別情報に対応するアドレス情報を前記レコーダ装置に送信し、
前記配信サーバは、前記ポータルサーバから送信されたアドレス情報に従い送信される配信要求を前記レコーダ装置から受信すると、該レコーダ装置に配信要求に応じた番組データを送信する前記配信システム。
【発明の詳細な説明】
【技術分野】
【０００１】
本発明は、ザッピング録画番組視聴システム及びレコーダ装置に係り、映像等のコンテンツを視聴するシステム、特に複数の装置が連携しネットワーク（主にＩＰネットワーク）を介してコンテンツを視聴するザッピング録画番組視聴システム及びレコーダ装置に関するものである。
【背景技術】
【０００２】
見たいＴＶ番組がある場合は、その放送時刻にＴＶの前に居るか、もしくはレコーダにて録画し見たい時間に視聴するが、録画を行わないユーザが、気に入る番組をＴＶチャンネルの上下で選択している場合、その時刻に気に入る番組が無い場合は、あきらめるか妥協することが多いと考える。またチャンネルを回していてすでに番組が始まっていた場合、録画していないと遡ることができない。
【先行技術文献】
【特許文献】
【０００３】
【特許文献１】特開２０１０−１８７３９０号公報
【特許文献２】特開２０１０−１１２０８号公報
【発明の概要】
【発明が解決しようとする課題】
【０００４】
すでに、全チャンネルを１週間全録画を行う製品は存在するが、機器のスペック要求が高くなり、１週間を超えた番組は消去されてしまう。このとき、録画された番組に対する視聴率が低く、高スペック（チューナー数、レコーダの容量、処理ＣＰＵ、メモリ量、発熱量など）にもかかわらず、利用効率が大変低い。
そのため、より少ないリソースで効率よく人の手で番組探索ができ、限られた視聴時間を有効に使用するサービスが不可欠と考えた。
地上デジタル放送、ＢＳデジタル放送、その他番組表が存在する放送形態のテレビ番組について、録画を行う操作人およびプログラムソフトが録画を指定した番組、たとえば電子番組表（ＥＰＧ）から指定された番組、番組カテゴリで指定された番組、特定の語彙が含まれる番組名もしくは番組内容から指定される番組、その他録画機器内でプログラムソフトにより指定された番組については録画されるが、操作人もしくはプログラムソフトが指定しない番組については、録画されない。録画されていない番組については、放送局が提供するビデオオンデマンドによる番組閲覧、もしくはＤＶＤやＢｌｕ−ｒａｙなどパッケージソフトの販売による閲覧することになる。
本発明は、以上の点に鑑み、より少ないリソースで効率よく人の手で番組探索ができ、限られた視聴時間を有効に使用するサービスを実現可能なザッピング録画番組視聴システム及びレコーダ装置を提供することを目的とする。
【課題を解決するための手段】
【０００５】
宅内ＴＶチューナ付番組レコーダとネットワーク越録画機能との連携による、視聴時刻非依存番組検索視聴システムを提供する。
既存の民生ハードディスクレコーダから大幅な拡張を施すことなく、利用頻度の低いチューナ、もしくはザッピング録画専用チューナを用いて、全ての番組について、周期的にかつ部分的に録画行う。番組単位では数分に１回、１分間ほどの録画を行うことで、視聴者が特別見る番組が無くても、とりあえず放送している番組のチャンネルを変えながら見る行為をそのまま録画していることと近似的な動作をさせる。
本発明は、家庭用録画機器で録画していない番組について、視聴機会を増加させるため、録画機器と番組のネットワークストリーミングができることを前提とし、実時間で放送中のチャンネルについて、録画機器の動作をしていないチューナを使って、利用可能チャンネルを順々に切り替え、指定時間を録画（例えば１分から最大３分）しつづける。
現時刻以後の番組は、ＥＰＧで番組を選ぶ、もしくはリモコンのチャンネルの上下で放送中の番組を選択し、気に入ればそのまま見続ける。
本発明では、過去の番組をＥＰＧを使って遡り、チャンネルを切り替えることで、録画済みシーンを録画分のみ（例えば１分から３分間）シーン再生を行い、番組を先頭からもしくは続けて視聴したい場合は、リモコン操作により先頭からＶＯＤを行う、もしくは継続してみたい場合もリモコン操作により録画されていない部分をＶＯＤで視聴する。
視聴者がＴＶ画面を見ているときの行動として、２つある。１つは気に入った番組を見ている、もうひとつはチャンネルを切り替え番組を探索中の場面となる。その、後者の行動に注目し、視聴者の番組に対する視聴機会の増加のための仕組みを考える。ユーザが番組を切り替える行動は、今映った画面に興味が無いためである。昨今のＴＶ番組は視聴者を飽きさせないつくりのため、数分後には視聴者が気に入るシーンがあるかも知れないが、そのシーンでユーザがチャンネルを切り替えてくれるかくれないかは運もある。
【０００６】
本発明の第１の解決手段によると、
放送される複数のチャンネルを予め定められた時間ずつ順次切り替えて、各チャンネルの番組を断片的に録画するレコーダ装置と、
放送された番組を、放送後にオンデマンド配信するサーバと
を備え、
前記レコーダ装置は、断片的に録画された各チャンネルの番組を再生し、ユーザにより選択された番組の識別情報を含む配信要求を前記サーバに送信し、
前記サーバは、前記レコーダ装置から受信される配信要求に応じて、該配信要求に含まれる番組の識別情報に対応する番組データを読み出して前記レコーダ装置に送信し、
前記レコーダ装置は、前記サーバから受信した番組データを表示部に表示するザッピング録画番組視聴システムが提供される。
【０００７】
本発明の第２の解決手段によると、
放送される番組を受信するチューナと、
各チャンネルの番組を録画する記憶部と、
放送された番組を放送後にオンデマンド配信するサーバとネットワークを介して通信するためのネットワークインタフェースと、
前記チューナを切り替えて、放送される複数のチャンネルを予め定められた時間ずつ順次前記記憶部に断片的に録画する処理部と
を備え、
前記処理部は、
断片的に録画された各チャンネルの番組を再生し、ユーザにより選択された番組の識別情報を含む配信要求を前記サーバに送信し、
前記サーバから、該配信要求に含まれる番組の識別情報に対応する番組データを受信し、
受信した番組データを表示部に表示するレコーダ装置が提供される。
【０００８】
本発明の第３の解決手段によると、
放送される複数のチャンネルを予め定められた時間ずつ順次切り替えて、各チャンネルの番組を断片的に録画するレコーダ装置からの配信要求に従い、放送された番組を放送後にオンデマンド配信するための配信システムであって、
放送された番組の番組データを記憶し、放送後にオンデマンド配信するためのひとつ又は複数の配信サーバと、
番組の識別情報に対応して、該番組の番組データを配信する前記配信サーバのアドレス情報又は各番組に割り当てられたアドレス情報が予め記憶されたポータルサーバと
を備え、
前記ポータルサーバは、前記レコーダ装置から番組の識別情報を含むアドレス要求を受信し、該番組の識別情報に対応するアドレス情報を前記レコーダ装置に送信し、
前記配信サーバは、前記ポータルサーバから送信されたアドレス情報に従い送信される配信要求を前記レコーダ装置から受信すると、該レコーダ装置に配信要求に応じた番組データを送信する前記配信システムが提供される。
【発明の効果】
【０００９】
本発明によると、より少ないリソースで効率よく人の手で番組探索ができ、限られた視聴時間を有効に使用するサービスを実現可能なザッピング録画番組視聴システム及びレコーダ装置を提供することができる。
【図面の簡単な説明】
【００１０】
【図１】機器構成図。
【図２】録画プロセスの全体フロー。
【図３】コンテンツ再生プロセスの全体フロー。
【図４】ザッピング録画と録画コンテンツの関係の説明図。
【図５】録画されたザッピング録画コンテンツと、放送番組との関係の説明図。
【図６】宅内レコーダの説明図。
【図７】宅内レコーダに保存されたコンテンツと番組の関係、およびリモコン操作の説明図。
【図８】宅内レコーダとセンターサーバ関係の説明図。
【図９】コンテンツ視聴開始までのシーケンス。
【図１０】リモコン操作での映像音声のトリックプレイのシーケンス。
【図１１】リモコン操作での映像音声の配信停止のシーケンス。
【図１２】コンテンツ配信の説明図。
【図１３】ポータルサーバのテーブルの説明図。
【発明を実施するための形態】
【００１１】
（システム構成）
図１は、ザッピング録画番組視聴システムの構成図である。
ザッピング録画番組視聴システムは、レコーダ装置１０１と、ストリーミングサーバ（サーバ）３０３を含む録画センター設備とを備える。また、レコーダ装置１０１からの番組データを表示するＴＶなどの表示部２０３、リモコン２０１をさらに備える。
レコーダ装置１０１は、放送される複数のチャンネルを予め定められた時間ずつ順次切り替えて、各チャンネルの番組を録画する。レコーダ装置１０１は、録画された各チャンネルの番組を再生し、ユーザにより選択された番組の識別情報を含む配信要求をサーバ３０３に送信する。サーバ３０３は、放送された番組を、放送後にオンデマンド配信するものである。サーバ３０３は、レコーダ装置１０１から受信される配信要求に応じて、配信要求に含まれる番組の識別情報に対応する番組データを読み出してレコーダ装置１０１に送信する。レコーダ装置１０１は、サーバ３０３から受信した番組データを表示部２０３に表示する。レコーダ装置１０１は、送信する配信要求に再生開始要求時刻を含めてもよい。その場合、サーバ３０３は、配信要求に含まれる番組の識別情報に対応する番組データであって、再生開始要求時刻以降の該番組データを読み出してレコーダ装置１０１に送信する。
【００１２】
レコーダ装置１０１には、複数のデジタルテレビチューナ１０２、１０３を装備し、録画用の外部記憶装置１０４を装備している（１０１、１０２、１０３、１０４）。また、レコーダ装置１０１は、ＥＰＧで録画予約を行え、リモコン２０１等の入力部を用いた利用者の操作により録画を行う機能を備えている（１０２、１０５）。
本実施の形態では、１つのチューナを常に録画状態とし、１分から３分録画を受信可能な全チャンネルに対し順繰り録画を行い、過去の電子番組表（ＥＰＧ）から選択して時刻とチャンネルから、録画された短い録画番組を順に再生させ、チャンネル切り替えを行うとそのチャンネルでも録画された短い録画番組を順に再生させるという、１種のタイムシフト再生を実現させるものである。全チャンネルを丸ごと録画しているわけではなく、たとえば見たい番組が無い状態の視聴者が、テレビリモコンを使ってチャンネルの上下ボタンで視聴するように、短い間隔（１分から３分間隔）で次々とチャンネルを切り替えながら録画する。連続録画を行うため、例えば専用のチューナを用意する（１０３）、もしくは、録画していないチューナ（１０２もしくは１０３）を用いて録画動作を行う。なお、録画時間は１分から３分以外の予め定められた時間でもよい。
録画される番組は１分から３分の動画ファイル（１０６）として扱え、付加情報（１０７）として番組名、固有ＩＤ、録画開始時刻などが記録される。固有ＩＤは、番組と紐付けられるＩＤである。番組を細切れでスキップ的に録画するため、その番組の何番目の番組データかを検索できるものとする。そのため、番組名と録画された短い録画番組を管理するテーブルが別に存在する。
【００１３】
レコーダ装置１０１は、例えば、電波により放送される番組を受信するチューナ１０２、１０３と、各チャンネルの番組を録画する外部記憶装置（記憶部）１０４と、ネットワークを介してサーバ３０３と通信するためのネットワークインタフェース１１５と、チューナ１０２、１０３を切り替えて各チャンネルの番組を記憶部１０２に録画し、ユーザにより選択された番組の識別情報及び再生開始要求時刻を含む配信要求をネットワークインタフェースを介してサーバ３０３に送信するＣＰＵ（第１処理部）１１１とを有する。レコーダ装置１０１は、メモリ１１２と、ＴＶなどの表示部２０３に映像・音声データを出力するＡ／Ｖデコーダ１１３と、リモコン２０１からの赤外線を受信する赤外線無線インタフェース１１４をさらに有する。
図８は、宅内レコーダ装置とセンターサーバ関係の説明図である。
録画センター設備（センターサーバ設備）は、例えば、ポータルサーバ３０８と、ストリーミングサーバ３０３と、ユーザ管理情報データベース３０９と、番組情報データベース３１０とを含む。
ストリーミングサーバ３０３は、例えば、レコーダ装置１０１と通信するためのネットワークインタフェース３２１と、放送された番組の番組データを、番組の識別情報及び時刻に対応して記憶する配信データベース３２０と、配信要求に応じて、配信データベース３２０から番組データを読み出し、ネットワークインタフェース３２１を介してレコーダ装置１０１に送信するＣＰＵ（第２処理部）３２２とを有する。
ポータルサーバ３０８は、レコーダ装置１０１からの要求に従い、番組データを配信するストリーミングサーバ３０３のＵＲＬをレコーダ装置１０１に送信する。なお、ストリーミングサーバ３０３は、複数備えられてもよい。
ユーザ管理情報データベース３０９は、例えばユーザを認証するための情報が格納される。番組情報データベース３１０は、例えばＥＰＧが記憶される。ポータルサーバ３０８、ストリーミングサーバ３０３は、ユーザ管理情報データベース３０９、番組情報データベース３１０を適宜参照できる。
図６は、宅内レコーダ装置部分のみを図示したものである。
【００１４】
（ザッピング録画）
図２は、録画プロセスの全体フローである。図４は、ザッピング録画と録画コンテンツの関係の説明図である。図５は、録画されたザッピング録画コンテンツと、放送番組との関係の説明図である。
チャンネルとしては、例えば関東広域・東京の場合、チャネルは、１ｃｈＮＨＫ総合、２ｃｈＮＨＫ教育、４ｃｈ日テレ、５ｃｈテレ朝、６ｃｈＴＢＳ、７ｃｈテレ東、８ｃｈフジＴＶ、９ｃｈ東京ＭＸ、１２ｃｈ放送大学がある。
レコーダ装置１０１は、専用チューナ１０３でザッピング録画する（Ｓ１０１）。例えば、繰り替えし録画を行うチューナ（１０３）は、１分から３分の短い時間を録画し、録画が終わったら次のチャンネルにチューニングを行い、また１分から３分の短い録画を行う（図４：１０９）。外部記憶装置１０４には、例えば図４下側に示すように、チャンネルごとに時系列に番組データが記憶される。録画シーンをリスト化し（Ｓ１０３）、古い録画シーンは適宜のタイミングで削除する（Ｓ１０５）。録画シーンのリスト化は、録画された映像を用いたサムネイルのような静止画でもよい。
上記の動作を繰り返すと、全チャンネルに対して、複数の細切れの録画ファイルが存在することになる。たとえば放送局が１０局ある場合、１回の録画時間を１分とした場合、全局録画を１周するのに約１０分かかる。ある時刻の１時間分の番組を想定すると、全局録画が６周することになり、１チャンネルあたり、１時間番組が１分ごとに６シーン分録画されることになる（図４：１１０）。
【００１５】
レコーダは１分から３分ごとにチャンネルを切り替え１分から３分の録画を繰り返すため、録画された部分録画番組と、番組を紐付ける必要がある。録画された番組ファイル（１０６）は番組名、録画順が管理されているため、過去のＥＰＧを保存するか、もしくは過去のＥＰＧを検索、ダウンロードすることで（１１１）、番組名・放送局（チャンネル）・放送日時を紐付けることができる。過去のＥＰＧから、レコーダに録画された録画ファイルのうち、録画情報（１０６）から放送済み番組と部分録画されたファイル群の紐付けが可能になる（１１５）。
【００１６】
（コンテンツ再生）
図３は、コンテンツ再生プロセスの全体フローである。図７は、宅内レコーダに保存されたコンテンツと番組の関係、およびリモコン操作の説明図である。図１２は、コンテンツ配信の説明図である。
レコーダ装置１０１は、録画済みシーンのリストを表示部２０３の画面に表示する（Ｓ２０１）。ここで、過去の番組ＥＰＧ情報を、レコーダを操作するメニューの一部として利用する。一般的なレコーダのＥＰＧは例えば現在からおよそ１週間分未来の番組を表示するが、本実施の形態の機能が動作するレコーダは過去のＥＰＧも表示できるようにする（１１１）。
ユーザのリモコン操作では、上下ボタン（２０５、２０６）でＥＰＧのチャンネル変更を、左右ボタン（２０７、２０８）で時刻の移動行い、番組を再生する場合決定ボタン（２０９）を押す。レコーダ装置１０１は、赤外線無線インタフェース１１４でリモコンからこの操作による信号を受信し、番組が特定される（Ｓ２０３）。
ＥＰＧの表示画面で過去番組を表示している状態で、過去の番組を選択した場合は、本実施の形態で録画された部分録画コンテンツを再生する（Ｓ２０５、１１２、１１３）。部分録画された番組の場合、録画された順で再生を行う（１１３）。なお、視聴者やソフトウェアが録画した番組は、そのまま最初から最後まで再生を行ってもよい。
部分録画された番組で、１録画が１分の場合、１分後は次の部分録画された動画ファイルを再生する（１１３）。部分録画された番組が最後まで再生された場合、部分録画を終了して、ＥＰＧ画面に戻る（Ｓ２０７）。
【００１７】
部分録画を再生中、チャプターボタン（２１０）は、部分録画ファイルをそれぞれチャプターに見立てて、レコーダ装置１０１は、同一チャンネルで前後の時間が選択されると、前後の時間に録画されたファイルを再生する（Ｓ２１３）。違うチャンネルが選択された場合は、指定されたチャンネルで録画されたシーンの中で、これまで再生中シーンに一番近いシーンを自動選択して再生してもよい（Ｓ２１１、Ｓ２０５）。
部分録画は、１時間番組では、１分のシーンが６シーンほどであるため、視聴者が見全てみたい場合は、録画済みのサーバ３０３からストリーミングを行う。
部分録画の再生中、例えばメニューボタン（２１１）が押されることで、番組ストリーミングメニューを出し、外部サーバからストリーミングを行う。外部のストリーミングサーバ３０３も録画コンテンツのＥＰＧ情報（図１２：３０１）を持っており、インターネット接続（３０２）されている。ストリーミングサーバ（３０３）上に目的のコンテンツ（３０４）があり、レコーダ装置（２０２）からのリクエストにより目的のコンテンツのストリーミングを開始する。
開始タイミングは、レコーダ（２０２）のリモコン（２０１）操作によりレコーダ装置１０１のＥＰＧに表示されている番組が選択されると（Ｓ２０９、３０５）、レコーダ装置１０１がストリーミング開始要求（配信要求）を送信する（Ｓ２１７、３０６）。配信要求は、例えば、ユーザのリモコン操作により選択された番組の識別情報を含む。番組の途中から視聴する場合、配信要求は再生開始要求時刻をさらに含んでもよい。例えば、再生された断片的な番組データに対応する時刻を含み、視聴者が興味を持った箇所から視聴できるようにしてもよい。
【００１８】
なお、以下のようにポータルサーバ３０８を介するようにしてもよい。まず、レコーダ装置１０１からポータルサーバに（３０８）に認証依頼（３０６）およびストリーミングサーバ上にあるコンテンツのＵＲＬ要求（アドレス要求）（３０６）を送信する（Ｓ２１５）。ポータルサーバ３０８から認証完了のステータスと、要求したコンテンツのＵＲＬが返される（３０７）。例えば、ポータルサーバは、図１３に示すように番組の識別情報に対応して、該番組の番組データを配信するストリーミングサーバのＵＲＬ又は各番組に割り当てられたＵＲＬが予め記憶され、番組の識別情報を含むＵＲＬ要求に対して、対応するＵＲＬを読み出して送信する。レコーダ装置１０１は、ポータルサーバ３０８から返信されたコンテンツのＵＲＬを用いてストリーミングサーバ（３０３）に対して、ストリーミング開始要求（３０６−０１）を出し、ストリーミングサーバ（３０３）は要求されたコンテンツ（３０４）をネットワーク経由で送信する（Ｓ２１９、３０７−０１）。レコーダ装置１０１は、受信されたコンテンツ３０４を再生する（Ｓ２２１）。なお、図９にコンテンツ視聴開始までのシーケンスを示す。
レコーダ装置１０１は、コンテンツの再生中のリモコン操作により、早送り、巻き戻し、最初から再生などが指示された場合（Ｓ２２３、Ｓ２２５）、ストリーミングサーバ３０３にコンテンツの再生位置（再生開始要求時刻）を含む再生位置変更要求を送信し（Ｓ２２７）、指定された再生位置のコンテンツを受信して再生する（図１０）。
なお、再生中に配信を停止する場合、レコーダ装置１０１は停止要求をストリーミングサーバ３０３に送信する（図１１）。
【００１９】
過去の番組を見せる仕組みはＮＨＫオンデマンドなど、各局がサービスを行っているが、よりリアルタイムに近く、タイムシフト的にユーザの気に入ったシーンを視聴する機会の増大のため、より少ないＴＶチューナで定期的にＣＨ変更を行い、１分から３分間隔でシーンを記録し続ける。番組のコーナの時間はおおよそ１５分から３０分単位のため、ユーザは番組ごとに数シーン視聴できるタイミングがある。しかも時系列的に、全チャンネルを切り替えながら録画するため、過去に遡れる、ｄｉｓｋ容量も１ｃｈ分の録画を２４時間や１週間録画するため、全チャンネル録画より、８分の１程度の録画容量となる。ユーザにとっては番組の選択肢が増え、番組を頭から見たい場合は、ネットストリーミングに誘導することで、ユーザの満足度を上げられる。
また、リアルタイムに放送している番組では早送りはできず、かつ全てを録画しているのでなければ、過去に遡った視聴はできない。全チャンネルを録画した場合、録画されたものを全て見ることは、１人あたりの視聴時間や起床時間など最大公約数的に考えても不可能であり、大半のコンテンツは見られないまま自動消去される。
本実施の形態では、１つのチューナにてチャンネルを変更しつつ、短い時間で常に録画するという、人間の操作に近い録画動作を行い、ディスクの使用率を下げ、１番組あたりの録画時間を減らし断片的に視聴することで時短にも寄与可能となる。気に入った番組であれば、ネットワークを利用したストリーミングに切り替えることで番組を全て見ることができる。ユーザの視聴機会増加が見込まれる。
【産業上の利用可能性】
【００２０】
本発明は、例えば、映像等のコンテンツを視聴するシステムに利用可能である。
【符号の説明】
【００２１】
１０１  レコーダ装置
１０２  デジタルテレビチューナ（ユーザもしくはソフトが録画にしようするチューナ）
１０３  デジタルテレビチューナ（本発明で使用する専用チューナ）
１０４  外部記憶装置
１０５  ユーザやレコーダのお好み機能にて録画された番組
１０６  部分録画された番組（１分から３分）
１０７  録画ファイルの記録情報
１０８  放送チャンネルと部分録画の時刻遷移の関係
１０９  録画された番組（１分から３分）
１１０  部分録画ファイルとチャンネルと時刻の関係
１１１  過去のＥＰＧ
１１２  放送済み番組
１１３  放送済み番組に対応する、部分録画されたファイル群
２０５  上ボタン
２０６  下ボタン
２０７  左ボタン
２０８  右ボタン
２０９  決定ボタン
２１０  チャプターボタン
３０１  リモートサーバ上の録画コンテンツ情報
３０２  レコーダ、ストリーミングサーバ間ネットワーク
３０３  ストリーミングサーバ
３０４  ストリーミング対象コンテンツ
３０５  視聴者からのストリーミング要求
３０６  レコーダからポータルサーバへの認証と再生要求
３０６−０１  レコーダから配信サーバへのストリーミング要求
３０７  ポータルサーバから、認証確認、および配信コンテンツのＵＲＬ
３０７−０１  配信サーバストリーミングされたコンテンツ
３０８  ポータルサーバ
３０９  ユーザ管理情報
３１０  センター側番組情報
【図１】
2012120078.tif 000003
【図２】
2012120078.tif 000004
【図３】
2012120078.tif 000005
【図４】
2012120078.tif 000006
【図５】
2012120078.tif 000007
【図６】
2012120078.tif 000008
【図７】
2012120078.tif 000009
【図８】
2012120078.tif 000010
【図９】
2012120078.tif 000011
【図１０】
2012120078.tif 000012
【図１１】
2012120078.tif 000013
【図１２】
2012120078.tif 000014
【図１３】
2012120078.tif 000015